(57)【特許請求の範囲】
【請求項１】
ボタン電池を保持する電池ホルダーに係止突起を有する撓曲可能な抜止用弾性片部が設けられるとともに、前記電池ホルダーが挿脱可能に挿着されるケース本体に、前記係止突起が嵌め込まれて係止される嵌合開口部が形成され、かつ、前記ケース本体に被せられるカバー部材に、その表面を押圧することにより押し下げられる解除操作部が設けられ、この解除操作部を押圧することによって前記係止突起が押し下げられてその係止状態が解除され、この係止解除状態で前記電池ホルダーが前記ケース本体から引き出し可能とされてなる電池ホルダーの取付構造。
【請求項２】
前記解除操作部が凸状とされ、前記ケース本体の前記嵌合開口部内にそこを上下方向に撓曲可能な舌状弾性片部が設けられ、この舌状弾性片部に、前記解除操作部に伴って押し下げられる押圧突部が設けられ、この押圧突部により前記抜止用弾性片部における前記係止突起より引き出し方向で見て後方側の部分が押し下げられるようにされていることを特徴とする請求項１に記載の電池ホルダーの取付構造。
【請求項３】
前記カバー部材が、キー等が設けられた銘板であることを特徴とする請求項１に記載の電池ホルダーの取付構造。
【発明の詳細な説明】
【０００１】
【発明の属する技術分野】
本発明は、電子機器類用リモコン等のケース本体に挿脱可能に挿着される、ボタン電池用の電池ホルダーの取付構造に係り、特に、幼児等が前記ボタン電池を簡単には取り出せないようにしたものに関する。
【０００２】
【従来の技術】
従来の電池ホルダーの取付構造の一例を図３に示す。図示例の電池ホルダー１０’は、リモコンのケース本体１’に対して挿脱可能に取り付けられるもので、その引き出し方向で見た手前側に引き出し時に取手として利用される掛止凹部１３が設けられた基体片部１１と、この基体片部１１の両端部から前方に突出し、ボタン電池５０が保持される円弧状の載置部１５，１５が設けられた左右一対の保持片部１２，１２とからなる概略コ字状とされている。
【０００３】
前記基体片部１１の中央部には、上向きに突出した係止突起１７を有する撓曲可能な抜止用弾性片部１６が設けられ、また、前記保持片部１２，１２にはそれぞれその先端部外周側に半円形の係止凹部１４，１４が形成されている。
【０００４】
一方、前記ケース本体１’の一端側に前記電池ホルダー１０’（の保持片部１２，１２）が挿入されて保持される挿着部５が設けられ、この挿着部５における前記電池ホルダー１０’の引き出し方向で見た手前側の前記ケース本体１’の下端部下面側に前記抜止用弾性片部１６の係止突起１７が嵌合せしめられる嵌合凹部７が設けられ、また、前記装着部５の内奥部分の両側に前記保持片部１２，１２に形成された係止凹部１４，１４が係合せしめられる断面半円形の嵌合凸部６，６が内向きに突設されている。
【０００５】
このような構成とされた電池ホルダー１０’の取付構造においては、保持片部１２，１２に設けられた載置部１５，１５にボタン電池５０（リチウム電池）を載せて電池ホルダー１０’をケース本体１’の挿着部５に差し込む。そうすると、電池ホルダー１０’の保持片部１２，１２が内側に若干撓められて係止凹部１４，１４がケース本体１’の嵌合凸部６，６に嵌合せしめられるとともに、抜止用弾性片部１６が下方に若干撓められて係止突起１７が前記嵌合凹部７に嵌合せしめられ、電池ホルダー１０’がケース本体１’の挿着部５に係止状態で挿着される。
【０００６】
その後、電池交換等のために、電池ホルダー１０’をケース本体１’から取り出す際には、電池ホルダー１０’の基体片部１１の掛止凹部１３に爪等を引っ掛ける等して後方に引き出す。そうすると、保持片部１２，１２及び抜止用弾性片部１６が撓み、前記係止凹部１４，１４と嵌合凸部６，６との嵌合係止状態及び係止突起１７と嵌合凹部７との嵌合係止状態が解除されて、ボタン電池５０が搭載されている電池ホルダー１０’全体が引き出される。
【０００７】
【発明が解決しようとする課題】
上述のように、従来の電池ホルダーの取付構造においては、電池ホルダーをケース本体から比較的簡単に取り出すができる。このことは、電池交換等を手間をかけずに容易に行えることを意味しているが、その反面、幼児等がリモコンをいじっているうちに意図しないのに電池ホルダーが引き出されてしまうおそれがあり、その電池ホルダーに載せられているボタン電池を幼児等が飲み込んでしまうといった事故が起きる可能性がないとはいえなかった。
【０００８】
そのため、最近においては、このような誤飲事故等を確実に防止すべく、ボタン電池を飲み込むおそれのある幼児では電池ホルダーをケース本体から引き出すことができないようにし、かつ、幼児以外の人にとっては電池ホルダーをケース本体から比較的簡単に引き出すことができるようにした電池ホルダーの取付構造が強く望まれている。
【０００９】
このような要望に応えるべく、コイン等で前記抜止用弾性片部を押し下げることにより、前記係止用突起による係止状態を解除するようにしたものが考えられている。この場合、コイン等を使用する操作は幼児には考えられないので、幼児には電池ホルダーをケース本体から引き出すことはできず、したがって、前記のような誤飲事故等を生じ難くできるが、コイン等を使用するものでは、手元に適当なコインがない場合には、電池交換等が行えないという不都合があり、また、コインで抜止用弾性片部を押し下げながら電池ホルダーを引き出すという操作は多少面倒である。
【００１０】
本発明は、上述した如くの問題を解消するためになされたもので、その目的とするところは、幼児には電池ホルダーをケース本体から引き出すことができないようにして誤飲事故等を生じ難くでき、かつ、幼児以外の人にとっては電池ホルダーをケース本体から比較的簡単に取り出すことができて電池交換等を容易に行えるようにした電池ホルダーの取付構造を提供することにある。
【００１１】
【課題を解決するための手段】
上述の目的を達成すべく、本発明に係る電池ホルダーの取付構造は、ボタン電池を保持する電池ホルダーに係止突起を有する撓曲可能な抜止用弾性片部が設けられるとともに、前記電池ホルダーが挿脱可能に挿着されるケース本体に、前記係止突起が嵌め込まれて係止される嵌合開口部が形成され、かつ、前記ケース本体に被せられるカバー部材に、その表面を押圧することにより押し下げられる解除操作部が設けられ、この解除操作部を押圧することによって前記係止突起が押し下げられてその係止状態が解除され、この係止解除状態で前記電池ホルダーが前記ケース本体から引き出し可能とされてなる。
【００１２】
より好ましい態様では、前記解除操作部が凸状とされ、前記ケース本体の前記嵌合開口部内にそこを上下方向に撓曲可能な舌状弾性片部が設けられ、この舌状弾性片部に、前記解除操作部に伴って押し下げられる押圧突部が設けられ、この押圧突部により前記抜止用弾性片部における前記係止突起より引き出し方向で見て後方側の部分が押し下げられるようにされる。
本発明の電池ホルダーの取付構造は、電子機器類用リモコン等の比較的小型の機器に適用され、リモコン等に適用された場合は、前記解除操作部をキー等が設けられた銘板に設けることができる。
【００１３】
上記のような構成とされた本発明に係る電池ホルダーの取付構造においては、電池交換等を行うべく、電池ホルダーを取り出す際には、銘板等のカバー部材に設けられた解除操作部を押圧する。これにより、例えば、ケース本体の舌状弾性片部に設けられた押圧突部が前記解除操作部に伴って押し下げられ、この押圧突部により前記抜止用弾性片部における前記係止突起より引き出し方向で見て後方側の部分が押し下げられる。
【００１４】
これによって、前記係止突起と前記ケース本体の嵌合開口部に対する係止状態が解除され、この係止解除状態、つまり、前記解除操作部を押圧状態で前記電池ホルダーを前記ケース本体から引き出すようにされる。
【００１５】
このように、本発明の電池ホルダーの取付構造では、電池ホルダーをケース本体から取り出すにあたっては、銘板等に設けられている解除操作部を押圧し、該押圧状態で電池ホルダーをケース本体から引き出すという二重操作が必要となる。かかる二重操作は、通常、幼児には考えられないので、幼児には電池ホルダーをケース本体から取り出すことはできないが、幼児以外の人にとっては、取扱説明書等にその旨を記載しておくこと等で電池ホルダーをケース本体から極めて簡単に取り出すことができる。
【００１６】
これにより、幼児の誤飲事故等を生じ難くできるとともに、電池交換等を容易に行える。
【００１７】
【発明の実施の形態】
以下、本発明の実施の形態を図面を参照しつつ説明する。
【００１８】
図１は本発明に係る電池ホルダーの取付構造の一実施形態が適用されたリモコンの分解斜視図、図２はその要部の断面図である。図示の電池ホルダー１０は、従来のものと同様に、リモコンのケース本体１に対して挿脱可能に取り付けられるもので、その引き出し方向（図の左方向）で見た手前側左右に、引き出し時に取手として利用される横突部１３，１３が設けられた基体片部１１と、この基体片部１１の両端部から前方に突出し、ボタン電池５０が保持される円弧状の載置部１５，１５が設けられた左右一対の保持片部１２，１２とからなる概略コ字状とされている。
【００１９】
前記基体片部１１の中央部前方には、断面台形状の係止突起３０を有する二股コ字状の撓曲可能な抜止用弾性片部１６が設けられ、また、前記保持片部１２，１２にはそれぞれその先端部外周側に、前記ケース本体に設けられた嵌合凸部（図示省略、従来例を示す図３の符号６と同）に嵌合係止される半円形の係止凹部１４，１４が形成されている。
【００２０】
一方、前記ケース本体１は、前面（左面）及び上面が開口した細長薄箱状とされており、その上面には配線基板２４が配され、この配線基板２４の上にキー２２等が設けられたカバー状の銘板２が被着されている。前記銘板２の左端部近くには、前記係止突起３０の嵌合係止状態を解除する際に押圧操作される平面視が楕円のなだらかな凸状解除操作部３２が設けられている。
【００２１】
前記本体ケース１における、前記電池ホルダー１０の引き出し方向で見た手前側の上面には、前記銘板２の端部を受ける端板部２５が設けられ、その下方に前記電池ホルダー１０（の保持片部１２，１２）が挿入されて保持される挿着部５が設けられている。
【００２２】
前記ケース本体１の前記端板部２５には、前記抜止用弾性片部１６の係止突起３０が嵌め込まれて係止される概略矩形の嵌合開口部２７が形成され、この嵌合開口部２７内にそこを上下方向に撓曲可能な舌状弾性片部２８が設けられ、この舌状弾性片部２８の先端に上下方向に突出する押圧突部２９が設けられている。
【００２３】
前記舌状弾性片部２８の押圧突部２９は、その上部が前記銘板２に設けられた凸状解除操作部３２の真下に嵌合せしめられ、その下端面が前記抜止用弾性片部１６における前記係止突起３０より引き出し方向で見て後方側の部分に当接せしめられる。
【００２４】
上記のような構成とされた本実施形態の電池ホルダーの取付構造においては、電池交換等を行うべく、電池ホルダー１０を取り出す際には、銘板２に設けられた凸状解除操作部３２を押圧する。これにより、ケース本体１の舌状弾性片部２８に設けられた押圧突部２９が前記凸状解除操作部３２に伴って押し下げられ、この押圧突部２９により前記抜止用弾性片部１６における前記係止突起３０より引き出し方向で見て後方側の部分が押し下げられる。
【００２５】
これによって、前記係止突起３０と前記ケース本体１の嵌合開口部２７に対する係止状態が解除され、この係止解除状態、つまり、前記解除操作部３２を押圧状態で前記電池ホルダー１０を前記ケース本体１から引き出すようにされる。
【００２６】
このように、本発明の電池ホルダーの取付構造では、電池ホルダー１０をケース本体１から取り出すにあたっては、銘板２に設けられている凸状解除操作部３２を押圧し、該押圧状態で電池ホルダー１０をケース本体１から引き出すという二重操作が必要となる。かかる二重操作は、通常、幼児には考えられないので、幼児には電池ホルダー１０をケース本体１から取り出すことはできないが、幼児以外の人にとっては、取扱説明書等にその旨を記載しておくこと等で電池ホルダー１０をケース本体１から極めて簡単に取り出すことができる。
【００２７】
これにより、幼児の誤飲事故等を生じ難くできるとともに、電池交換等を容易に行える。
【００２８】
【発明の効果】
以上の説明から理解されるように、本発明に係る電池ホルダーの取付構造によれば、電池ホルダーをケース本体から取り出すには二重操作が必要となるので、幼児等がリモコン等をいじっているうちに意図しないのに電池ホルダーが引き出されてしまうような事態が生じ難くされて誤飲事故を可及的に防ぐことができ、かつ、幼児以外の人にとっては電池ホルダーをケース本体から比較的簡単に取り出すことができて電池交換等を容易に行えるという効果を奏する。
【図面の簡単な説明】
【図１】本発明に係る電池ホルダーの取付構造の一実施形態が適用されたリモコンを示す分解斜視図。
【図２】図１に示されるリモコンの電池ホルダー挿着状態を示す部分断面図。
【図３】従来の電池ホルダーの取付構造の一例を示し、（Ａ）は電池ホルダーをケース本体から引き出した状態を示す部分平面図、（Ｂ）はその断面図。
【符号の説明】
１        ケース本体
２        銘板
５        挿着部
１０        電池ホルダー
１６        抜止用弾性片部
２７        嵌合開口部
２８        舌状弾性片部
２９        押圧突部
３０        係止突起
３２        凸状解除操作部
５０        ボタン電池
【図１】
0003648889.tif 000002
【図２】
0003648889.tif 000003
【図３】
0003648889.tif 000004